【手続補正書】
【提出日】平成17年3月4日(2005.3.4)
【手続補正１】
【補正対象書類名】明細書
【補正対象項目名】全文
【補正方法】変更
【補正の内容】
【書類名】        明細書
【発明の名称】    結合中空押出形材、結合用中空押出形材および結合中空押出形材の製造方法
【特許請求の範囲】
【請求項１】 ２つの中空押出形材よりなり、両中空押出形材の側面同士が当接され、その当接部の両側で中空押出形材同士が当接部の幅方向に凹凸嵌合せしめられ、当接部における両中空押出形材の対向する側面には少なくとも１つのピン孔形成用溝が相互に向かい合って設けられ、ピン孔形成用溝によって形成されたピン孔に結合ピンが圧入されて両中空押出形材が結合されている、結合中空押出形材。
【請求項２】  前後２つのアルミニウム中空押出形材よりなり、後側の中空押出形材は、前後壁、両側壁により形成される一つの中空部を有し、後壁の左側には先端が前方へ屈曲した延長壁が設けられ、前壁の左側には第１嵌合突起が延長状に設けられ、前壁の外面中央にはピン孔形成用溝が形成され、前壁の右端には逆Ｌ字状壁が設けられ、逆Ｌ字状壁と前壁により第１嵌合凹部が形成されており、前側の中空押出形材は、前後壁、両側壁および仕切壁により形成された２つの中空部を有し、後壁における仕切壁との交わり部から若干左側に寄った部分には倒Ｌ字状壁が設けられ、倒Ｌ字状壁と後壁により第２嵌合凹部が形成され、後壁の右端は第２嵌合突起となされ、第２嵌合突起の基部から右壁の後側へＬ字状壁が設けられ、Ｌ字状壁と第２嵌合突起により第３嵌合凹部が形成されており、後壁において、後側の中空押出形材の前壁と対向する面には、前壁のピン孔形成用溝と相互に向かい合ってピン孔形成用溝が設けられ、左壁の後側には、後側の中空押出形材の延長壁先端部付近まで伸びる延長壁が設けられており、後側の中空押出形材の前面と前側の中空押出形材の後面とが当接され、後側の中空押出形材の前壁左側における第１嵌合突起が前側の中空押出形材の後壁中央付近における第２嵌合凹部に嵌め入れられ、後側の中空押出形材の前壁右側における第１嵌合凹部に前側の中空押出形材の後壁右側における第２嵌合突起が嵌め入られると共に該第２嵌合突起の隣の第３嵌合凹部に逆Ｌ字状壁の屈曲した先端部が嵌め入れられることにより、両中空押出形材の両側で中空押出形材同士が当接部の巾方向に凹凸嵌合せしめられ、後側の中空押出形材の前壁と前側の中空押出形材の後壁におけるピン孔形成用溝によって形成されたピン孔に結合ピンが圧入されて両中空押出形材が結合されている、結合中空押出形材。
【請求項３】  前後２つのアルミニウム中空押出形材よりなり、後側の中空押出形材は、前後壁、両側壁並びに両側壁寄り部分に設けられた仕切壁および中央に設けられた仕切壁により形成される４つの中空部を備えており、前壁の左側には第１嵌合突起が形成され、第１嵌合突起の基部から左壁の前側へ逆倒Ｌ字状壁が形成され、第１嵌合突起と逆倒Ｌ字状壁により第１嵌合凹部が形成され、 前壁の右側には逆Ｌ字状壁が設けられ、逆Ｌ字状壁と前壁により第２嵌合凹部が形成され、前壁の中央寄り部分には２つのピン孔形成用溝が設けられ、前側の中空押出形材は、前後壁、両側壁並びに中央寄り部分に設けられた２つの仕切壁により形成される３つの中空部を備え、左壁の後側には倒Ｌ字状壁が設けられ、倒Ｌ字状壁と後壁により第３嵌合凹部形成され、後壁の右側は第２嵌合突起となされ、第２嵌合突起の基部から右壁の後側へＬ字状壁が設けられ、Ｌ字状壁と第２嵌合突起により第４嵌合凹部が形成されており、後壁において、後側の中空押出形材の前壁と対向する面には、前壁の２つのピン孔形成用溝とそれぞれ相互に向かい合ってピン孔形成用溝が設けられ、後側の中空押出形材の前面と前側の中空押出形材の後面とが当接され、後側の中空押出形材の前壁左側における第１嵌合突起が前側の中空押出形材の後壁左側の第３嵌合凹部に嵌め入れられると共に第３嵌合凹部を構成する倒Ｌ字状壁の屈曲した先端部が第１嵌合凹部に嵌め入れられ、前側の中空押出形材の後壁右側における第２嵌合突起が後側の中空押出形材の前壁右側の第２嵌合凹部に嵌め入れられると共に第２嵌合凹部を構成する逆Ｌ字状壁の屈曲した先端部が第４嵌合凹部に嵌め入れられることにより、両中空押出形材の両側で中空押出形材同士が当接部の巾方向に凹凸嵌合せしめられ、後側の中空押出形材と前側の中空押出形材の後壁におけるピン孔形成用溝によって形成されたピン孔に結合ピンが圧入されて両中空押出形材が結合されている、結合中空押出形材。
【請求項４】  前後２つのアルミニウム中空押出形材が組となされ、後側の中空押出形材は、前後壁、両側壁により形成される一つの中空部を有し、後壁の左側には先端が前方へ屈曲した延長壁が設けられ、前壁の左側には第１嵌合突起が延長状に設けられ、前壁の外面中央にはピン孔形成用溝が形成され、前壁の右端には逆Ｌ字状壁が設けられ、逆Ｌ字状壁と前壁により第１嵌合凹部が形成されており、前側の中空押出形材は、前後壁、両側壁および仕切壁により形成された２つの中空部を有し、後壁における仕切壁との交わり部から若干左側に寄った部分には倒Ｌ字状壁が設けられ、倒Ｌ字状壁と後壁により第２嵌合凹部が形成され、後壁の右端は第２嵌合突起となされ、第２嵌合突起の基部から右壁の後側へＬ字状壁が設けられ、Ｌ字状壁と第２嵌合突起により第３嵌合凹部が形成されており、後壁において、後側の中空押出形材の前壁と対向する面には、前壁のピン孔形成用溝と相互に向かい合うピン孔形成用溝が設けられている、結合用中空押出形材。
【請求項５】  前後２つのアルミニウム中空押出形材が組となされ、後側の中空押出形材は、前後壁、両側壁並びに両側壁寄り部分に設けられた仕切壁および中央に設けられた仕切壁により形成される４つの中空部を備えており、前壁の左側には第１嵌合突起が形成され、第１嵌合突起の基部から左壁の前側へ逆倒Ｌ字状壁が形成され、第１嵌合突起と逆倒Ｌ字状壁により第１嵌合凹部が形成され、 前壁の右側には逆Ｌ字状壁が設けられ、逆Ｌ字状壁と前壁により第２嵌合凹部が形成され、前壁の中央寄り部分には２つのピン孔形成用溝が設けられ、前側の中空押出形材は、前後壁、両側壁並びに中央寄り部分に設けられた２つの仕切壁により形成される３つの中空部を備え、左壁の後側には倒Ｌ字状壁が設けられ、倒Ｌ字状壁と後壁により第３嵌合凹部形成され、後壁の右側は第２嵌合突起となされ、第２嵌合突起の基部から右壁の後側へＬ字状壁が設けられ、Ｌ字状壁と第２嵌合突起により第４嵌合凹部が形成されており、後壁において、後側の中空押出形材の前壁と対向する面には、前壁の２つのピン孔形成用溝とそれぞれ相互に向かい合うピン孔形成用溝が設けられている、結合用中空押出形材。
【請求項６】  前後壁、両側壁により形成される一つの中空部を有し、後壁の左側には先端が前方へ屈曲した延長壁が設けられ、前壁の左側には第１嵌合突起が延長状に設けられ、前壁の外面中央にはピン孔形成用溝が形成され、前壁の右端には逆Ｌ字状壁が設けられ、逆Ｌ字状壁と前壁により第１嵌合凹部が形成されている後側の中空押出形材と、前後壁、両側壁および仕切壁により形成された２つの中空部を有し、後壁における仕切壁との交わり部から若干左側に寄った部分には倒Ｌ字状壁が設けられ、倒Ｌ字状壁と後壁により第２嵌合凹部が形成され、後壁の右端は第２嵌合突起となされ、第２嵌合突起の基部から右壁の後側へＬ字状壁が設けられ、Ｌ字状壁と第２嵌合突起により第３嵌合凹部が形成されており、後壁において、後側の中空押出形材の前壁と対向する面には、前壁のピン孔形成用溝と相互に向かい合うピン孔形成用溝が設けられ、左壁の後側には、後側の中空押出形材の延長壁先端部付近まで伸びる延長壁が設けられている前側の中空押出形材との２つの中空押出形材を用意し、後側の中空押出形材の前面と前側の中空押出形材の後面とを当接し、後側の中空押出形材の前壁左側における第１嵌合突起を前側の中空押出形材の後壁中央付近における第２嵌合凹部に嵌め入れ、後側の中空押出形材の前壁右側における第１嵌合凹部に前側の中空押出形材の後壁右側における第２嵌合突起を嵌め入れると共に該第２嵌合突起の隣の第３嵌合凹部に逆Ｌ字状壁の屈曲した先端部を嵌め入れることにより、両中空押出形材の両側で中空押出形材同士を当接部の巾方向に凹凸嵌合せしめ、後側の中空押出形材の前壁と前側の中空押出形材の後壁におけるピン孔形成用溝によって形成されたピン孔に結合ピンを圧入して両中空押出形材を結合する、結合中空押出形材の製造方法。
【請求項７】  前後壁、両側壁並びに両側壁寄り部分に設けられた仕切壁および中央に設けられた仕切壁により形成される４つの中空部を備えており、前壁の左側には第１嵌合突起が形成され、第１嵌合突起の基部から左壁の前側へ逆倒Ｌ字状壁が形成され、第１嵌合突起と逆倒Ｌ字状壁により第１嵌合凹部が形成され、前壁の右側には逆Ｌ字状壁が設けられ、逆Ｌ字状壁と前壁により第２嵌合凹部が形成され、前壁の中央寄り部分には２つのピン孔形成用溝が設けられている後側の中空押出形材と、前後壁、両側壁並びに中央寄り部分に設けられた２つの仕切壁により形成される３つの中空部を備え、左壁の後側には倒Ｌ字状壁が設けられ、倒Ｌ字状壁と後壁により第３嵌合凹部形成され、後壁の右側は第２嵌合突起となされ、第２嵌合突起の基部から右壁の後側へＬ字状壁が設けられ、Ｌ字状壁と第２嵌合突起により第４嵌合凹部が形成されており、後壁 において、後側の中空押出形材の前壁と対向する面には、前壁の２つのピン孔形成用溝とそれぞれ相互に向かい合うピン孔形成用溝が設けられている前側の中空押出形材との２つの中空押出形材を用意し、後側の中空押出形材の前面と前側の中空押出形材の後面とを当接し、後側の中空押出形材の前壁左側における第１嵌合突起を前側の中空押出形材の後壁左側の第３嵌合凹部に嵌め入れると共に第３嵌合凹部を構成する倒Ｌ字状壁の屈曲した先端部を第１嵌合凹部に嵌め入れ、前側の中空押出形材の後壁右側における第２嵌合突起を後側の中空押出形材の前壁右側の第２嵌合凹部に嵌め入れると共に第２嵌合凹部を構成する逆Ｌ字状壁の屈曲した先端部を第４嵌合凹部に嵌め入れることにより、両中空押出形材の両側で中空押出形材同士を当接部の巾方向に凹凸嵌合せしめ、後側の中空押出形材と前側の中空押出形材の後壁におけるピン孔形成用溝によって形成されたピン孔に結合ピンを圧入して両中空押出形材を結合する、結合中空押出形材の製造方法。
【発明の詳細な説明】
【０００１】
【発明の属する技術分野】
本発明は、結合中空押出形材、結合用中空押出形材および結合中空押出形材の製造方法に関するものである。
【０００２】
【発明が解決しようとする課題】
図３に示すように、押出形材(51)が、その右半部の上下に２つの中空部(52)(53)を有し、また左半部の下側にも中空部(54)を有すると共に左半部の上側に幅の狭い開口部(55)が形成された略中空部(56)を有する場合、この押出形材(51)の押出成形は非常に困難であり、また上記開口部(55)の幅がある一定限度より狭い場合には押出成形が不可能となる。
【０００３】
また、図４に示すように、上側の４つの中空部(62)〜(65)と下側の３つの中空部(66)〜(68)とが千鳥状に形成された押出形材(61)も成形が非常に困難である。
【０００４】
本発明の目的は、上述したような押出成形が非常に困難または不可能な形材を２つに分割してその分割された中空押出形材同士を結合した結合中空押出形材並びに結合用中空押出形材および結合中空押出形材の製造方法を提供することにある。
【０００５】
【課題を解決するための手段】
請求項１の発明による結合中空押出形材は、２つの中空押出形材よりなり、両中空押出形材の側面同士が当接され、その当接部の両側で中空押出形材同士が当接部の幅方向に凹凸嵌合せしめられ、当接部における両中空押出形材の対向する側面には少なくとも１つのピン孔形成用溝が相互に向かい合って設けられ、ピン孔形成用溝によって形成されたピン孔に結合ピンが圧入されて両中空押出形材が結合されているものである。
【０００６】
請求項２の発明による結合中空押出形材は、前後２つのアルミニウム中空押出形材よりなり、後側の中空押出形材は、前後壁、両側壁により形成される一つの中空部を有し、後壁の左側には先端が前方へ屈曲した延長壁が設けられ、前壁の左側には第１嵌合突起が延長状に設けられ、前壁の外面中央にはピン孔形成用溝が形成され、前壁の右端には逆Ｌ字状壁が設けられ、逆Ｌ字状壁と前壁により第１嵌合凹部が形成されており、前側の中空押出形材は、前後壁、両側壁および仕切壁により形成された２つの中空部を有し、後壁における仕切壁との交わり部から若干左側に寄った部分には倒Ｌ字状壁が設けられ、倒Ｌ字状壁と後壁により第２嵌合凹部が形成され、後壁の右端は第２嵌合突起となされ、第２嵌合突起の基部から右壁の後側へＬ字状壁が設けられ、Ｌ字状壁と第２嵌合突起により第３嵌合凹部が形成されており、後壁において、後側の中空押出形材の前壁と対向する面には、前壁のピン孔形成用溝と相互に向かい合ってピン孔形成用溝が設けられ、左壁の後側には、後側の中空押出形材の延長壁先端部付近まで伸びる延長壁が設けられており、後側の中空押出形材の前面と前側の中空押出形材の後面とが当接され、後側の中空押出形材の前壁左側における第１嵌合突起が前側の中空押出形材の後壁中央付近における第２嵌合凹部に嵌め入れられ、後側の中空押出形材の前壁右側における第１嵌合凹部に前側の中空押出形材の後壁右側における第２嵌合突起が嵌め入られると共に該第２嵌合突起の隣の第３嵌合凹部に逆Ｌ字状壁の屈曲した先端部が嵌め入れられことにより、両中空押出形材の両側で中空押出形材同士が当接部の巾方向に凹凸嵌合せしめられ、後側の中空押出形材の前壁と前側の中空押出形材の後壁におけるピン孔形成用溝によって形成されたピン孔 に結合ピンが圧入されて両中空押出形材が結合されているものである。
【０００７】
請求項３の発明による結合中空押出形材は、前後２つのアルミニウム中空押出形材よりなり、後側の中空押出形材は、前後壁、両側壁並びに両側壁寄り部分に設けられた仕切壁および中央に設けられた仕切壁により形成される４つの中空部を備えており、前壁の左側には第１嵌合突起が形成され、第１嵌合突起の基部から左壁の前側へ逆倒Ｌ字状壁が形成され、第１嵌合突起と逆倒Ｌ字状壁により第１嵌合凹部が形成され、 前壁の右側には逆Ｌ字状壁が設けられ、逆Ｌ字状壁と前壁により第２嵌合凹部が形成され、前壁の中央寄り部分には２つのピン孔形成用溝が設けられ、前側の中空押出形材は、前後壁、両側壁並びに中央寄り部分に設けられた２つの仕切壁により形成される３つの中空部を備え、 左壁の後側には倒Ｌ字状壁が設けられ、倒Ｌ字状壁と後壁により第３嵌合凹部形成され、後壁の右側は第２嵌合突起となされ、第２嵌合突起の基部から右壁の後側へＬ字状壁が設けられ、Ｌ字状壁と第２嵌合突起により第４嵌合凹部が形成されており、後壁 において、後側の中空押出形材の前壁と対向する面には、前壁の２つのピン孔形成用溝とそれぞれ相互に向かい合ってピン孔形成用溝が設けられ、後側の中空押出形材の前面と前側の中空押出形材の後面とが当接され、後側の中空押出形材の前壁左側における第１嵌合突起が前側の中空押出形材の後壁左側の第３嵌合凹部に嵌め入れられると共に第３嵌合凹部を構成する倒Ｌ字状壁の屈曲した先端部が第１嵌合凹部に嵌め入れられ、前側の中空押出形材の後壁右側における第２嵌合突起が後側の中空押出形材の前壁右側の第２嵌合凹部に嵌め入れられると共に第２嵌合凹部を構成する逆Ｌ字状壁の屈曲した先端部が第４嵌合凹部に嵌め入れられことにより、両中空押出形材の両側で中空押出形材同士が当接部の巾方向に凹凸嵌合せしめられ、後側の中空押出形材と前側の中空押出形材の後壁におけるピン孔形成用溝によって形成されたピン孔に結合ピンが圧入されて両中空押出形材が結合されているものである。
【０００８】
請求項４の発明による結合用中空押出形材は、前後２つのアルミニウム中空押出形材が組となされ、後側の中空押出形材は、前後壁、両側壁により形成される一つの中空部を有し、後壁の左側には先端が前方へ屈曲した延長壁が設けられ、前壁の左側には第１嵌合突起が延長状に設けられ、前壁の外面中央にはピン孔形成用溝が形成され、前壁の右端には逆Ｌ字状壁が設けられ、逆Ｌ字状壁と前壁により第１嵌合凹部が形成されており、前側の中空押出形材は、前後壁、両側壁および仕切壁により形成された２つの中空部を有し、後壁における仕切壁との交わり部から若干左側に寄った部分には倒Ｌ字状壁が設けられ、倒Ｌ字状壁と後壁により第２嵌合凹部が形成され、後壁の右端は第２嵌合突起となされ、第２嵌合突起の基部から右壁の後側へＬ字状壁が設けられ、Ｌ字状壁と第２嵌合突起により第３嵌合凹部が形成されており、後壁において、後側の中空押出形材の前壁と対向する面には、前壁のピン孔形成用溝と相互に向かい合う形成用溝が設けられているものである。
【０００９】
請求項５の発明による結合用中空押出形材は、前後２つのアルミニウム中空押出形材が組となされ、後側の中空押出形材は、前後壁、両側壁並びに両側壁寄り部分に設けられた仕切壁および中央に設けられた仕切壁により形成される４つの中空部を備えており、前壁の左側には第１嵌合突起が形成され、第１嵌合突起の基部から左壁の前側へ逆倒Ｌ字状壁が形成され、第１嵌合突起と逆倒Ｌ字状壁により第１嵌合凹部が形成され、前壁の右側には逆Ｌ字状壁が設けられ、逆Ｌ字状壁と前壁により第２嵌合凹部が形成され、前壁の中央寄り部分には２つのピン孔形成用溝が設けられ、前側の中空押出形材は、前後壁、両側壁並びに中央寄り部分に設けられた２つの仕切壁により形成される３つの中空部を備え、 左壁の後側には倒Ｌ字状壁が設けられ、倒Ｌ字状壁と後壁により第３嵌合凹部形成され、後壁の右側は第２嵌合突起となされ、第２嵌合突起の基部から右壁の後側へＬ字状壁が設けられ、Ｌ字状壁と第２嵌合突起により第４嵌合凹部が形成されており、後壁において、後側の中空押出形材の前壁と対向する面には、前壁の２つのピン孔形成用溝とそれぞれ相互に向かい合うピン孔形成用溝が設けられているものである。
【００１０】
請求項６の発明による結合中空押出形材の製造方法は、前後壁、両側壁により形成される一つの中空部を有し、後壁の左側には先端が前方へ屈曲した延長壁が設けられ、前壁の左側には第１嵌合突起が延長状に設けられ、前壁の外面中央にはピン孔形成用溝が形成され、前壁の右端には逆Ｌ字状壁が設けられ、逆Ｌ字状壁と前壁により第１嵌合凹部が形成されている後側の中空押出形材と、前後壁、両側壁および仕切壁により形成された２つの中空部を有し、後壁における仕切壁との交わり部から若干左側に寄った部分には倒Ｌ字状壁が設けられ、倒Ｌ字状壁と後壁により第２嵌合凹部が形成され、後壁の右端は第２嵌合突起となされ、第２嵌合突起の基部から右壁の後側へＬ字状壁が設けられ、Ｌ字状壁と第２嵌合突起により第３嵌合凹部が形成されており、後壁において、後側の中空押出形材の前壁と対向する面には、前壁のピン孔形成用溝と相互に向かい合うピン孔形成用溝が設けられ、左壁の後側には、後側の中空押出形材の延長壁先端部付近まで伸びる延長壁が設けられている前側の中空押出形材との２つの中空押出形材を用意し、後側の中空押出形材の前面と前側の中空押出形材の後面とを当接し、後側の中空押出形材の前壁左側における第１嵌合突起を前側の中空押出形材の後壁中央付近における第２嵌合凹部に嵌め入れ、後側の中空押出形材の前壁右側における第１嵌合凹部に前側の中空押出形材の後壁右側における第２嵌合突起を嵌め入れると共に該第２嵌合突起の隣の第３嵌合凹部に逆Ｌ字状壁の屈曲した先端部を嵌め入れることにより、両中空押出形材の両側で中空押出形材同士を当接部の巾方向に凹凸嵌合せしめ、後側の中空押出形材の前壁と前側の中空押出形材の後壁におけるピン孔形成用溝によって形成されたピン孔に結合ピンを圧入して両中空押出形材を結合するものである。
【００１１】
請求項７の発明による結合中空押出形材の製造方法は、前後壁、両側壁並びに両側壁寄り部分に設けられた仕切壁および中央に設けられた仕切壁により形成される４つの中空部を備えており、前壁の左側には第１嵌合突起が形成され、第１嵌合突起の基部から左壁の前側へ逆倒Ｌ字状壁が形成され、第１嵌合突起と逆倒Ｌ字状壁により第１嵌合凹部が形成され、 前壁の右側には逆Ｌ字状壁が設けられ、逆Ｌ字状壁と前壁により第２嵌合凹部が形成され、前壁の中央寄り部分には２つのピン孔形成用溝が設けられている後側の中空押出形材と、前後壁、両側壁並びに中央寄り部分に設けられた２つの仕切壁により形成される３つの中空部を備え、 左壁の後側には倒Ｌ字状壁が設けられ、倒Ｌ字状壁と後壁により第３嵌合凹部形成され、後壁の右側は第２嵌合突起となされ、第２嵌合突起の基部から右壁の後側へＬ字状壁が設けられ、Ｌ字状壁と第２嵌合突起により第４嵌合凹部が形成されており、後壁 において、後側の中空押出形材の前壁と対向する面には、前壁の２つのピン孔形成用溝とそれぞれ相互に向かい合うピン孔形成用溝が設けられている前側の中空押出形材との２つの中空押出形材を用意し、後側の中空押出形材の前面と前側の中空押出形材の後面とを当接し、後側の中空押出形材の前壁左側における第１嵌合突起を前側の中空押出形材の後壁左側の第３嵌合凹部に嵌め入れると共に第３嵌合凹部を構成する倒Ｌ字状壁の屈曲した先端部を第１嵌合凹部に嵌め入れ、前側の中空押出形材の後壁右側における第２嵌合突起を後側の中空押出形材の前壁右側の第２嵌合凹部に嵌め入れると共に第２嵌合凹部を構成する逆Ｌ字状壁の屈曲した先端部を第４嵌合凹部に嵌め入れることにより、両中空押出形材の両側で中空押出形材同士を当接部の巾方向に凹凸嵌合せしめ、後側の中空押出形材と前側の中空押出形材の後壁におけるピン孔形成用溝によって形成されたピン孔に結合ピンを圧入して両中空押出形材を結合するものである。
【００１２】
【発明の実施の形態】
次に、本発明の実施形態を図面に従って説明する。なお、本明細書において、前後、左右は図１を基準とし、前とは図１の下側を、後とは同図上側を指し、左とは図１の左側を、右とは同図右側を指すものとする。また、アルミニウムという語には純アルミニウムとアルミニウム合金の両方を含むものとする。
【００１３】
［実施形態１］
図１に示すように、後側のアルミニウム中空押出形材(1)は、前後壁(1a)(1b)、両側壁(1c)(1d)により形成される一つの中空部(1A)を有し、後壁(1b)の左側には先端が前方へ屈曲した延長壁(1e)が設けられている。前壁(1a)の左側には第１嵌合突起(6) が延長状に設けられ、前壁(1a)の外面中央にはピン孔形成用溝(4A)が形成されている。また、前壁(1a)の右端には逆Ｌ字状壁(7)が設けられ、逆Ｌ字状壁(7)と前壁(1a)により第１嵌合凹部(8)が形成されている。
【００１４】
前側のアルミニウム中空押出形材(2)は、前後壁(2a)(2b)、両側壁(2c)(2d)および仕切壁(2e)により形成された２つの中空部(2A)(2B)を有し、後壁(2b)における仕切壁(2e)との交わり部から若干左側に寄った部分には倒Ｌ字状壁(9)が設けられ、倒Ｌ字状壁(9)と後壁(2b)により第２嵌合凹部(11)が形成されている。また、後壁(2b)の右端は第２嵌合突起(12)となされ、第２嵌合突起(12)の基部から右壁(2d)の後側へＬ字状壁(13)が設けられ、Ｌ字状壁(13)と第２嵌合突起(12)により第３嵌合凹部(14)が形成されている。
【００１５】
後壁(2b)において、後側の中空押出形材(1) の前壁(1a)と対向する面には、前壁(1a)のピン孔形成用溝(4A)と相互に向かい合ってピン孔形成用溝(4B)が設けられている。また、左壁(2c)の後側には、後側の中空押出形材(1) の延長壁(1e)先端部付近まで伸びる延長壁(2f)が設けられている。
【００１６】
そして、後側の中空押出形材(1)の中空部(1A)と前側の中空押出形材(2)の中空部(2B)の側面同士が当接され、その当接部(3)の両側において後述する要領で、中空押出形材(1)(2)同士が当接部(3)の幅方向(w) に凹凸嵌合せしめられている。  すなわち、後側の中空押出形材(1)の前壁(1a)左側における第１嵌合突起(6)が前側の中空押出形材(2)の後壁(2b)中央付近における第２嵌合凹部(11)に嵌め入れられ、後側の中空押出形材(1)の前壁(1a)右側における第１嵌合凹部(8)に前側の中空押出形材(2)の後壁(2b)右側における第２嵌合突起(12)が嵌め入られると共に該第２嵌合突起(12)の隣の第３嵌合凹部(14)に逆Ｌ字状壁(7)の屈曲した先端部が嵌め入れられる。
【００１７】
そして、後側の中空押出形材(1)の前壁(1a)と前側の中空押出形材(2)の後壁(2b)におけるピン孔形成用溝(4A)(4B)によって形成されたピン孔(5)に結合ピン(10) が圧入されて、両中空押出形材(1) (2)同士が結合されている。
【００１８】
本実施形態によれば、図３に示した従来、押出成形が困難であった形材(51)が、本実施形態の後側の中空押出形材(1)と前側の中空押出形材(2)とを結合させることにより得られ、この場合、これら中空押出形材(1)(2)は、図３の押出形材(51)を２つに分割した形状のものであるため、両押出形材(1)(2)の押出成形は容易に行える。
【００１９】
［実施形態２］
図２に示すように、後側のアルミニウム中空押出形材(21)は、前後壁(21a)(21b)、両側壁(21c)(21d)並びに両側壁(21c)(21d)寄り部分に設けられた仕切壁(21e)(21f)および中央に設けられた仕切壁(21g) により形成される４つの中空部(21A),(21B),(21C),(21D) を備えている。
【００２０】
前壁(21a)の左側には第１嵌合突起(23)が形成され、第１嵌合突起(23)の基部から左壁(21c)の前側へ逆倒Ｌ字状壁(20)が形成され、第１嵌合突起(23)と逆倒Ｌ字状壁(24)により第１嵌合凹部(25)が形成されている。
【００２１】
前壁(21a)の右側には逆Ｌ字状壁(26)が設けられ、逆Ｌ字状壁(26)と前壁(21a)により第２嵌合凹部(27)が形成されている。また、前壁(21a)の中央寄り部分には２つのピン孔形成用溝(24A)が設けられている。
【００２２】
前側のアルミニウム中空押出形材(22)は、前後壁(22a)(22b)、両側壁(22c)(22d)並びに中央寄り部分に設けられた２つの仕切壁(22e)(22f)により形成される３つの中空部(22A)(22B)(22C) を備えている。
【００２３】
左壁(22c)の後側には倒Ｌ字状壁(28)が設けられ、倒Ｌ字状壁(28)と後壁(22b) により第３嵌合凹部(29)が形成されている。後壁(22b)の右側は第２嵌合突起(31)となされ、第２嵌合突起(31)の基部から右壁(22d)の後側へＬ字状壁(32)が設けられ、Ｌ字状壁(32)と第２嵌合突起(31)により第４嵌合凹部(33)が形成されている。
【００２４】
後壁(22b) において、後側の中空押出形材(21)の前壁(21a)と対向する面には、前壁(21a)の２つのピン孔形成用溝(24A) とそれぞれ相互に向かい合ってピン孔形成用溝(24B)が設けられている。
【００２５】
そして、後側の中空押出形材(21)の前面と前側の中空押出形材(22)の後面とが当接され、その当接部(30)の両側において後述する要領で、中空押出形材(21)(22)同士が当接部(30)の幅方向(w)に凹凸嵌合せしめられている。
【００２６】
すなわち、後側の中空押出形材(21)の前壁(21a)左側における第１嵌合突起(23)が前側の中空押出形材(22)の後壁(2b)左側の第３嵌合凹部(29)に嵌め入れられると共に第３嵌合凹部(29)を構成する倒Ｌ字状壁(28)の屈曲した先端部が第１嵌合凹部(25)に嵌め入れられている。一方、前側のアルミニウム中空押出形材(22)の後壁(22b)右側における第２嵌合突起(31)が後側の中空押出形材(21)の前壁(21a)右側の第２嵌合凹部(27)に嵌め入れられると共に第２嵌合凹部(27)を構成する逆Ｌ字状壁(26)の屈曲した先端部が第４嵌合凹部(33)に嵌め入れられている。
【００２７】
そして、後側の中空押出形材(21)の前壁(21a)と前側の中空押出形材(22)の後壁(22b)におけるピン孔形成用溝(24A)(24B)によって形成されたピン孔(25)に結合ピン(40)が圧入されて、両中空押出形材(21)(22)同士が結合されている。
【００２８】
本実施形態によれば、図４に示した従来、押出成形が困難であった形材(61)が、本実施形態の後側の中空押出形材(21)と前側の中空押出形材(22)とを結合させることにより得られ、この場合、これら中空押出形材(21)(22)は、図４の押出形材(61)を２つに分割した形状のものであるため、両押出形材(21)(22)の押出成形は容易に行える。
【００２９】
【発明の効果】
本発明によれば、押出成形が困難または不可能な形状の形材でも、予めこの形材を２つに分割した形状のものを押出成形し、その押出形材の側面同士を当接させて該当接部の両側で押出形材同士が凹凸嵌合せしめられるため、両押出形材の当接部両側に隙間を生ずることがない。従って、結合された押出形材同士の結合箇所は外観的にも美麗である。
【００３０】
また、両押出形材はそれらの当接部の幅方向に凹凸嵌合せしめられる一方、当接部における両中空押出形材の対向する側面に設けられたピン孔形成用溝によって形成されたピン孔に結合ピンが圧入されるため両押出形材の上記凹凸嵌合状態が強固に維持される。そのため、本発明による結合中空押出形材は、アルミサッシ等の建築用品をはじめとして種々の押出形材製品に利用できる。
【図面の簡単な説明】
【図１】
本発明の実施形態１を示す、結合された２つの押出形材の端面図である。
【図２】
本発明の実施形態２を示す、結合された２つの押出形材の端面図である。
【図３】
従来例を示す押出形材の端面図である。
【図４】
他の従来例を示す押出形材の端面図である。
【符号の説明】
(1)(21)：  後側の中空押出形材
(2)(22)：  前側の中空押出形材
（１a）(21a)：  後側の中空押出形材の前壁
（１b）(21b)：  後側の中空押出形材の後壁
（１c）（１d）（2１c）（2１d)： 後側の中空押出形材の側壁  
（１e）：  後側の中空押出形材の後壁の延長壁
（１A）（21A）（21B）（21C）（21D)： 後側の中空押出形材の中空部
（2a）（22a）：  前側の中空押出形材の前壁
（2b）（22b）：  前側の中空押出形材の後壁
（2c）（2d）（22c）（22d）： 前側の中空押出形材の側壁
（2e）（22e）（22f）： 前側の中空押出形材の仕切壁
（2f）：  前側の中空押出形材左壁の延長壁
（2A）（2B）（22A）（22B）（22C）：  前側の中空押出形材の中空部
(3) (23)：  当接部
（4A）（24A）：  後側の中空押出形材のピン孔形成用溝
(4B) (24B)： 前側の中空押出形材の ピン孔形成用溝
（5）(25)：  ピン孔
（6）（23）：  第１嵌合突起
（7）（26）：  逆Ｌ字状壁
（8）（25）：  第１嵌合凹部
（9）（28）：  倒逆Ｌ字状壁
（10）(40)：  結合ピン
（11）：  第2嵌合凹部
（12）（31）：  第2嵌合突起
（13）（32）：  Ｌ字状壁
（14）（29）：  第3嵌合凹部
（4B）：  前側の中空押出形材のピン孔形成用溝
（7）：  逆Ｌ字状壁
（8）：  第１嵌合突起
（w）：  当接部の巾方向  
（21e）（21f）（21g）：  後側の中空押出形材の仕切壁
（24）：  逆倒Ｌ字状壁
（28）：  倒Ｌ字状壁
（33）：  第４嵌合凹部